(57)【要約】      （修正有）【課題】顧客が充分満足できると共に、店舗の販売効率を高めることが可能な飲食物提供方法を提供する。【解決手段】飲食物提供方法は、所定の金額が付されたメニュー構成要素で構成されかつ上限額が設定されたプランを提示して顧客に選択させるメニュープラン選択工程と、前記メニュープラン選択工程で選択されたプランのメニュー構成要素の中から注文を受けたものの金額を合算し、前記上限額を超えた際には、合算の合計金額を顧客に提示した後、減額して同上限額を提示し、また、前記上限額を超えない際には、合算の合計金額を提示する飲食代金精算工程を備えている。【選択図】図１
2015207065.tif 000002
【特許請求の範囲】
【請求項１】
所定の金額が付されたメニュー構成要素で構成されかつ上限額が設定されたプランを提示して顧客に選択させるプラン選択工程と、
前記プラン選択工程で選択されたプランのメニュー構成要素の中から注文を受けたものの金額を合算し、前記上限額を超えた際には、合算の合計金額を顧客に提示した後、減額して同上限額を提示し、また、前記上限額を超えない際には、合算の合計金額を提示する精算工程とを備える
飲食物提供方法。
【請求項２】
前記上限額と対応する上限額識別子を伝票情報が記録される媒体に付して、前記プラン選択工程で選択されたプランのメニュー構成要素の中から注文を受注する
請求項１に記載の飲食物提供方法。
【請求項３】
前記プラン選択工程では、飲料の飲み放題の有無の選択を提示して顧客に選択させ、飲料の飲み放題の有無と対応する飲料識別子及び前記上限額識別子を飲料用の伝票情報が記録される媒体に付して、飲料の注文を受注する
請求項２に記載の飲食物提供方法。
【請求項４】
前記伝票情報が記録される媒体をレジに配置し、
前記飲料用の伝票情報が記録される媒体を客席に配置する
請求項３に記載の飲食物提供方法。
【請求項５】
前記プラン選択工程では単品での注文を顧客に提示する
請求項１または請求項２に記載の飲食物提供方法。
【発明の詳細な説明】
【技術分野】
【０００１】
本発明は、飲食物提供方法に関する。詳しくは、顧客が充分満足できると共に、店舗の販売効率を高めることが可能な飲食物提供方法に係るものである。
【背景技術】
【０００２】
顧客に対して食事の空間と共に食事を提供する外食産業は、日本において成熟した産業となりつつある。一方、価格競争からの脱却を図るため、店舗で提供する食事内容やサービスは多様化する傾向にある。
【０００３】
例えば、これまでは日本になじみのなかった海外の料理を提供する店舗や、店舗自体の内装や接客の方法に独自性を出し、他店との差別化を図る店舗が数多く出店されている。
【０００４】
また、飲食代金の精算方法で差別化を図る店舗もあり、従来からの、時間やメニューで設定した範囲内で自由に飲食が可能な、いわゆる食べ放題や飲み放題の精算方法も集客のための特徴の一つとして挙げられる。
【０００５】
こうしたなか、食べ放題の精算方法を採用した店舗で、顧客の利便性を高め、精算時の間違いを生じにくくすることを試みた注文受付システムが存在し、例えば、特許文献１に記載の注文受付システムが提案されている。
【０００６】
ここで、特許文献１に記載の注文受付システムでは、店舗の端末を介して、メニューのプランに対応したサービスＩＤを入力し、記録されたサービス規定テーブルからサービスＩＤに該当する利用枠時間と品目ＩＤ集合とを抽出する。
【０００７】
また、店舗の端末で、利用時間枠と経過時間とに基づいて残時間を管理する初期処理を行う。また、客席の端末での顧客入力手段の操作入力に応答してメニューデータベースの飲食物品目情報を表示させる。
【０００８】
その際、残時間が有効である間は、初期処理で抽出した品目ＩＤ集合中の飲食物品目情報については数量無制限制サービスの対象品目である旨を付加して表示する。また、品目の注文入力を受け付け可能とし、表示した飲食物品目に対する注文入力を顧客入力手段から受け付けた際、受注品目情報を出力手段により出力を行う。
【０００９】
このように、特許文献１に記載の注文受付システムでは、メニューのプランに対応した内容と設定時間を客席の端末に表示させ、顧客は迷う心配なく注文ができるものとなっている。
【先行技術文献】
【特許文献】
【００１０】
【特許文献１】特開２００７―１４８９９８号公報
【発明の概要】
【発明が解決しようとする課題】
【００１１】
しかしながら、特許文献１に記載の注文受付システムは、所定の食べ放題のメニューのプランを決定した後、それを選択した顧客は、食べたメニュー数や合計額に関係なく、一律の精算額を支払うこととなる。
【００１２】
即ち、少量しか飲食を行わない顧客にとって、場合によっては、割高な印象が残るため、満足感が得られないと共に、店舗を選択する際の除外の要因につながるものとなる。
【００１３】
また、客席の端末に残りの時間が表示されることで、顧客が落ち着いて食事を楽しむことができないおそれがある。特に、食べ放題の精算方法の店舗であれば、顧客の注文回数が多くなることが予想され、その都度、残り時間が表示されると、気分が害されることにつながりかねない。
【００１４】
さらに、店舗用の端末や、各客席用の端末を全て揃えようとすると、設備投資に多額の費用がかかり、手軽に導入することが難しいという問題もある。
【００１５】
本発明は、以上の点に鑑みて創案され、顧客が充分満足できると共に、店舗の販売効率を高めることが可能な飲食物提供方法を提供することを目的とする。
【課題を解決するための手段】
【００１６】
上記の目的を達成するために、本発明の飲食物提供方法は、所定の金額が付されたメニュー構成要素で構成されかつ上限額が設定されたプランを提示して顧客に選択させるプラン選択工程と、前記プラン選択工程で選択されたプランのメニュー構成要素の中から注文を受けたものの金額を合算し、前記上限額を超えた際には、合算の合計金額を顧客に提示した後、減額して同上限額を提示し、また、前記上限額を超えない際には、合算の合計金額を提示する精算工程とを備える。
【００１７】
ここで、所定の金額が付されたメニュー構成要素で構成されかつ上限額が設定されたプランを提示して顧客に選択させるプラン選択工程によって、顧客にプランの内容に応じた設定金額を選ばせることができる。即ち、例えば、食べ放題で上限額を設定し、上限額に応じて注文が可能なメニュー構成要素を提示して、顧客はメニュー構成要素と上限額を元に、プランを決定することができる。なお、メニュー構成要素とは、飲食店におけるメニューに記載された個々の品物を意味する。
【００１８】
また、プラン選択工程で選択されたプランのメニュー構成要素の中から注文を受けたものの金額を合算し、上限額を超えた際には、合算の合計金額を顧客に提示した後、減額して上限額を提示する精算工程によって、顧客は上限額以上の金額の食事をすることが可能となる。また、顧客の目の前で、実際に食べたメニュー構成要素の合計金額からの割引きを明示するので、顧客に得した印象を与えることが可能となる。
【００１９】
また、プラン選択工程で選択されたプランのメニュー構成要素の中から注文を受けたものの金額を合算し、上限額を超えない際には、合算の合計金額を提示する精算工程によって、顧客は上限額の限度内で、実際に食べたメニュー構成要素に対してのみ、費用を支払うことになる。即ち、食べ放題を選択していながら、上限額に届かなかった際は単品での注文形態と同様となり、割高な印象を与えないものとなる。
【００２０】
また、上限額と対応する上限額識別子を伝票情報が記録される媒体に付して、プラン選択工程で選択されたプランのメニュー構成要素の中から注文を受注する場合には、上限額識別子で顧客が選択したプランを容易に知ることができる。即ち、精算時に精算額の間違いが生じにくくすることができる。
【００２１】
また、プラン選択工程では、飲料の飲み放題の有無の選択を提示して顧客に選択させ、飲料の飲み放題の有無と対応する飲料識別子及び上限額識別子を飲料用の伝票情報が記録される媒体に付して、飲料の注文を受注する場合には、食べ放題のプランとは別に、飲み放題の精算方法についても対応可能となる。また、飲料識別子で、顧客が飲み放題を選択したか否かを容易に知ることができる。
【００２２】
また、伝票情報が記録される媒体をレジに配置し、飲料用の伝票情報が記録される媒体を客席に配置する場合には、精算を容易にすることができる。即ち、飲料に関する費用と、食べ物に関する費用が別々に記録され、精算時に合算することで最終的な支払額を出すことができる。例えば、飲み放題を選択しない顧客の際には、飲料が都度、単品で計上されていくため、食べ物の費用と分けることで計算が容易になり、精算額の間違いが生じにくくなる。
【００２３】
また、プラン選択工程で単品での注文を顧客に提示する場合には、食べ放題のプランの選択のみならず、通常の個別のメニュー構成要素の合算での精算も可能となり、顧客の選択の幅を広げることができる。
【発明の効果】
【００２４】
本発明に係る飲食物提供方法は、顧客が充分満足できると共に、店舗の販売効率を高めることが可能なものとなっている。
【図面の簡単な説明】
【００２５】
【図１】本発明を適用した飲食物提供方法の一例を示す概略図である。
【図２】精算時の金額設定を示す概略図である。
【発明を実施するための形態】
【００２６】
以下、本発明の実施の形態について説明し、本発明の理解に供する。
図１は、本発明を適用した飲食物提供方法の一例を示す概略図である。図２は、精算時の金額設定を示す概略図である。なお、以下に示す実施の形態は、本発明の一例に過ぎず、本発明の内容が下記に示す実施の形態に限定されるものではない。
【００２７】
本発明を適用した飲食物提供方法の一例である、飲食物提供方法は、メニュープラン選択工程と、飲食代金精算工程を備えている。
【００２８】
メニュープラン選択工程では、食べ物のメニュープランとして、３，０００円コース、４，０００円コース、５，０００円コース、及び単品注文の４つを有している。また、飲料について、飲み放題ありコース、飲み物単品注文の２つを有している。
【００２９】
食べ物のメニュープランでは、金額ごとに注文が可能なメニューの種類が決まっており、金額が大きくなると、注文可能なメニューの種類が増えるものとなっている。
【００３０】
メニュープラン選択工程では、顧客に対して、前述した食べ物及び飲料に関するメニュープランを提示し、選択してもらう。また、同一のテーブルについた顧客は、テーブルで共通のメニュープランを選択してもらうものとする。
【００３１】
ここで、必ずしも、メニュープランが３，０００円コース、４，０００円コース、５，０００円コース、及び単品注文の４つに限定され、また、飲料について、飲み放題ありコース、飲み物単品注文の２つに限定される必要はない。これらは、本発明の実施の形態と一例であり、具体的な金額の設定や、数は適宜設定することができる。
【００３２】
また、食べ物のメニュープランの内容や、飲み放題の内容は特に限定されるものではない。例えば、ソフトドリンクは食べ物のメニュープランに含めて、アルコール類については飲み放題の有無のプランで対応する方法であってもよい。
【００３３】
また、メニュープラン選択工程では、客席のテーブル１に配置する飲料用伝票ホルダー２と、レジに配置する食べ物用ハンディ端末３を用いている。
【００３４】
飲料用伝票ホルダー２は、飲料の注文を記録する飲料用伝票４を挟んでいる。また、飲料用伝票ホルダー２は、４つの食べ物のメニュープランに対応した色が付されている。
【００３５】
より具体的には、飲料用伝票ホルダー２は、３，０００円コースに対応した「黒」、４，０００円コースに対応した「緑」、５，０００円コースに対応した「赤」、及び単品注文に対応した「白」といった、各色の伝票ホルダーとなっている。
【００３６】
また、飲料用伝票ホルダー２には、飲料用色付き識別カード５が取付けられる。飲料用色付き識別カード５は、飲み放題ありコース、または、飲み物単品注文の２つに対応する色を有している。
【００３７】
より具体的には、飲料用色付き識別カード５は、飲み放題ありコースに対応した「青」、飲み物単品注文に対応した「水色」のカードとなっており、顧客の選択に応じて、飲料用伝票ホルダー２にカードが取り付けられるものとなっている。
【００３８】
食べ物用ハンディ端末３は、既存のＰＯＳシステムの端末であり、注文に関するデータが入力され、記録可能な端末となっている。また、食べ物用ハンディ端末３はテーブル１ごとに準備され、顧客の食べ物メニューの注文がデータとして記録される。
【００３９】
また、食べ物用ハンディ端末３には、食べ物用色付き識別カード６が取付けられる。食べ物用色付き識別カード６は、４つの食べ物のメニュープランに対応する色を有している。
【００４０】
より具体的には、食べ物用色付き識別カード６は、３，０００円コースに対応した「灰色」、４，０００円コースに対応した「黄緑」、５，０００円コースに対応した「オレンジ」、及び単品注文に対応した「紫」のカードとなっている。また、顧客の選択に応じて、食べ物用ハンディ端末３にカードが取り付けられるものとなっている。
【００４１】
ここで、必ずしも、飲料用伝票４及び食べ物用ハンディ端末３の２種類の伝票情報を準備する必要はない。但し、飲料と食べ物で分けることで、精算時の間違いが生じにくくなる点から、飲料用伝票４及び食べ物用ハンディ端末３の２種類の伝票情報を準備することが好ましい。
【００４２】
また、伝票情報が記録される媒体は特に限定されるものではなく、媒体は手書きする紙媒体のみの使用や、電子的に記録するハンディ端末の使用等、種々採用しうるものである。
【００４３】
また、必ずしも、色が付された飲料用伝票ホルダー２、飲料用色付き識別カード５及び食べ物用色付き識別カード６が使用される必要はない。但し、顧客が選択した食べ物のメニュープランや、飲み放題の有無に関する注文時や精算時の間違いが生じにくくなる点から、色が付された飲料用伝票ホルダー２、飲料用色付き識別カード５及び食べ物用色付き識別カード６が使用されることが好ましい。
【００４４】
また、必ずしも、飲料用色付き識別カード５及び食べ物用色付き識別カード６で全て異なる色が使用される必要はない。但し、顧客が選択した食べ物のメニュープランや、飲み放題の有無に関する注文時や精算時の間違いが生じにくくなる点から、飲料用色付き識別カード５及び食べ物用色付き識別カード６で全て異なる色が使用されることが好ましい。
【００４５】
飲食代金精算工程では、食べ物のメニュープランに設定された制限時間、または、単品注文プランでの飲食が終了した際に、飲料用伝票ホルダー２と食べ物用ハンディ端末３を用いて精算を行う。
【００４６】
飲食代金精算工程では、食べ物用ハンディ端末３に記録された注文に基づいて、各メニューの代金をレジに入力していく。この合計金額が、メニュープランの金額を超えた際には、顧客に明示した後、選択されたメニュープランの金額へと値引き処理を行い、メニュープランの金額を食べ物の精算額とする。
【００４７】
また、食べ物の各メニューの合計金額が、メニュープランの金額を超えなかった際には、その合計金額を食べ物の精算額とする。また、顧客が食べ物の単品注文を選択していた際には、各メニューの合計金額を食べ物の精算額とする。なお、ここでは、前述した飲料用ホルダー２及び食べ物用色付き識別カード６の両方の色を見て、食べ物のメニュープランの種類を確認する。
【００４８】
飲食代金精算工程では、飲料用伝票ホルダー２の飲料用伝票４に記録された注文に基づいて、飲み物の各メニューの代金をレジに入力していく。ここで、顧客が飲み放題コースを選択していた際には、飲み放題で設定された所定の金額をレジに入力し、その金額を飲料の精算額とする。
【００４９】
また、顧客が飲み物の単品注文を選択していた際には、各飲料メニューの合計金額を飲料の精算額とする。なお、ここでは、前述した飲料用色付き識別カード５の色を見て、飲料の注文方法の種類を確認する。
【００５０】
飲食代金精算工程では、上記した食べ物の精算額と飲料の精算額を合算して、顧客に提示して、精算を行う。
【００５１】
ここで、飲食代金精算工程では、食べ物の精算と飲み物の精算を行う順番は特に限定されるものではない。
【００５２】
飲食代金精算工程の食べ物の精算時の一例を図２で示す。例えば、顧客が食べ物のメニュープランとして、３，０００円コースを選択したものとする。
【００５３】
図２の左側のカラム７に示すように、食べ物の各メニューの合計金額が２，２００円となった場合には、食べ物の生産金額が２，２００円となる。即ち、３，０００円のメニュープランを選択していても、単品注文と同等の金額での精算が可能となる。
【００５４】
また、真ん中のカラム８に示すように、食べ物の各メニューの合計金額が３，０００円となった場合には、食べ物の生産金額が３，０００円となる。即ち、３，０００円のメニュープランを選択していて、メニュープラン通りの金額での精算を行うことになる。
【００５５】
更に、右側のカラム９で示すように、食べ物の各メニューの合計金額が４，８００円となった場合には、食べ物の生産金額が３，０００円となる。即ち、飲食代金精算工程のレジでの精算時には、一度、顧客に対して４，８００円の実際の金額を示し、その上で、メニュープランの設定金額である３，０００円への値引きを行い、選択したメニュープランの金額での精算を行うことになる。
【００５６】
以上のとおり、本発明を適用した飲食物提供方法では、食べ放題でありながら、設定金額まで食事を行わなかった顧客には、実際の合計金額のみを請求するため、割高な印象を与えることなく、食事を楽しんでもらえるものとなっている。
【００５７】
特に、選択したメニュープランの金額以下で食事を行った顧客は、実際に食事を行った分に該当する金額を支払えばよく、安心して食事を楽しむことができる。
【００５８】
また、食べ放題や飲み放題と単品注文の両方を選択可能であり、顧客にとって選択の自由度が高いものとなっている。
【００５９】
また、食べ物のメニュープランや飲料に関する精算方法の種類に対応した識別子を用いることで、精算時の間違いが生じにくい方法となっている。
【００６０】
このように、本発明を適用した飲食物提供方法は、顧客が充分満足できると共に、店舗の販売効率を高めることが可能なものとなっている。
【符号の説明】
【００６１】
１      客席のテーブル
２      飲料用伝票ホルダー
３      食べ物用ハンディ端末
４      飲料用伝票
５      飲料用色付き識別カード
６      食べ物用色付き識別カード
７      左側のカラム
８      真ん中のカラム
９      右側のカラム
【図１】
2015207065.tif 000003
【図２】
2015207065.tif 000004